(57)【特許請求の範囲】
【請求項１】
適宜の指令入力に応じ、払い出すべき紙幣を別途揃え、これを利用者の手許位置に払い出す装置であって、
この装置は、適宜のフレームに支持される払出トレー体と、この払出トレー体に一部で回動自在に接続される中継トラフとを具え、前記払出トレー体は、装置前方の手許位置と奥部待機位置との間を水平に前進、退去自在に設けられ、一方前記中継トラフ体は、払出トレー体に対する回動接続位置をそれぞれの前方寄り位置とし、更にこの中継トラフ体は、奥部側の自由端が案内体の案内を受けて上昇し、前方が低く奥部が上がった前下がり状態の待機姿勢となるように設定され、この状態において、中継トラフ体は、奥端部から紙幣の供給を受け、前下がり状態の中継トラフ体の姿勢により、紙幣は供給が進められるに従い、前下がり状に姿勢変化をし、中継トラフ体への円滑な移載がされ、一方中継トラフ体は待機姿勢からは、払出トレーの前進に応動して、払出トレー内に収まるように水平状態に姿勢変化させ、中継トラフ体内の紙幣を利用者の手許近くに用意するようにしたことを特徴とする現金払出装置。
【請求項２】
前記中継トラフ体の奥部自由端側を上昇させる案内体は、フレームに固定配置される案内スロープであり、案内スロープの後方が上昇する形状とすることにより、この上を転動する中継トラフ体における、案内コロの位置が上昇し、中継トラフ体の前下がり状態の待機姿勢を出現させるものであることを特徴とする前記請求項１記載の現金払出装置。
【請求項３】
前記中継トラフ体へ紙幣が供給されるにあたっては、中継トラフ体奥部に紙幣受取駆動機構を設けるものであり、このものはそれぞれ駆動され、且つ送り出し方向を同一とした上下一対の受取ローラを具えて構成され、そのうち上方の受取ローラは調整受取ローラとして上方に移動自在とし、供給される紙幣の重なり厚さに対応するように構成されていることを特徴とする前記請求項１または２記載の現金払出装置。
【請求項４】
前記フレーム及び中継トラフ体には、紙幣と共にコインを払い出すためのコイン導入機構が並設されていることを特徴とする前記請求項１、２または３記載の現金払出装置。
【発明の詳細な説明】
【技術分野】
【０００１】
本発明は、現金の払出装置に関するものであって、特に簡単な構成のもとに確実な紙幣の払い出しを行うとともに、装置全体のコンパクト化をも達成できるようにした装置の改良に係るものである。
【背景技術】
【０００２】
例えばパチンコホールなどの遊戯場の利用客は、受け取った景品について希望する場合には、古物商許可を正規に得ている景品買取所に景品を持ち込み、その買い取りを求めて実質的に現金化を図っている。このような景品買取所では、当然ながら現金を払い出す作業回数も多く、その合理化を図る必要があり、多くの場合自動現金払出機を設置している。
この場合、正確な現金の計数とともに、利用者の手許までの払い出し作業も円滑に行うことができ、且つその装置の設置スペースもよりコンパクトな装置が求められている。
【先行技術文献】
【特許文献】
【０００３】
【特許文献１】実開平０７−０１９５６７号公報
【発明の概要】
【発明が解決しようとする課題】
【０００４】
本発明は、これらの要求に応える一環としてなされたものであって、重力作用を巧みに利用し、計数後の紙幣を円滑且つ確実に移送させるようにした、新規な現金払出装置の開発を試みたものである。
【課題を解決するための手段】
【０００５】
請求項１記載の現金払出装置は、適宜の指令入力に応じ、払い出すべき紙幣を別途揃え、これを利用者の手許位置に払い出す装置であって、この装置は、適宜のフレームに支持される払出トレー体と、この払出トレー体に一部で回動自在に接続される中継トラフとを具え、前記払出トレー体は、装置前方の手許位置と奥部待機位置との間を水平に前進、退去自在に設けられ、一方前記中継トラフ体は、払出トレー体に対する回動接続位置をそれぞれの前方寄り位置とし、更にこの中継トラフ体は、奥部側の自由端が案内体の案内を受けて上昇し、前方が低く奥部が上がった前下がり状態の待機姿勢となるように設定され、この状態において、中継トラフ体は、奥端部から紙幣の供給を受け、前下がり状態の中継トラフ体の姿勢により、紙幣は供給が進められるに従い、前下がり状に姿勢変化をし、中継トラフ体への円滑な移載がされ、一方中継トラフ体は待機姿勢からは、払出トレーの前進に応動して、払出トレー内に収まるように水平状態に姿勢変化させ、中継トラフ体内の紙幣を利用者の手許近くに用意するようにしたことを特徴として成るものである。
【０００６】
請求項２記載の現金払出装置は、前記請求項１記載の要件に加えて、前記中継トラフ体の奥部自由端側を上昇させる案内体については、フレームに固定配置される案内スロープであり、案内スロープの後方が上昇する形状とすることにより、この上を転動する中継トラフ体における、案内コロの位置が上昇し、中継トラフ体の前下がり状態の待機姿勢を出現させるものであることを特徴として成るものである。
【０００７】
請求項３記載の現金払出装置は、前記請求項１または２記載の要件に加えて、前記中継トラフ体へ紙幣が供給されるにあたっては、中継トラフ体奥部に紙幣受取駆動機構を設けるものであり、このものはそれぞれ駆動され、且つ送り出し方向を同一とした上下一対の受取ローラを具えて構成され、そのうち上方の受取ローラは調整受取ローラとして上方に移動自在とし、供給される紙幣の重なり厚さに対応するように構成されていることを特徴として成るものである。
【０００８】
請求項４記載の現金払出装置は、前記請求項１、２または３記載の要件に加えて、前記フレーム及び中継トラフ体には、紙幣と共にコインを払い出すためのコイン導入機構が並設されていることを特徴として成るものである。
【発明の効果】
【０００９】
まず請求項１記載の発明によれば、中継トラフ体は、計数された紙幣を受け取るにあり、前下がり状態の待機姿勢でこれを受け取るものであり、紙幣が中継トラフ体内に供給されてくるに従い、重力によりその前方が垂れ下がる現象を有効に利用し、これを傾斜した中継トラフ体内に確実に受け入れることができる。一方手許近くに払い出すにあたっては、中継トラフ体は、払出トレー内に収まるように水平姿勢を採るものであり、紙幣の受取から利用者への手許に払い出すまでの間の動きが極めて自然な構成となっている。また中継トラフ体自体は、待機姿勢で前下がり状態となることは、実質的には、その前後長を短い寸法に設定することを意味しており、装置全体のコンパクト化を図ることができる。
【００１０】
また請求項２記載の発明によれば、中継トラフ体を待機状態において前下がり状態、即ち後方を上昇させた状態に案内するための部材として、極めてシンプルな案内スロープを利用したものであり、しかもこの動作自体は、払出トレー体の前後進にともない中継トラフ体がこの姿勢を採るものであり、格別な駆動部材を必要とせず、シンプルな構成とすることができる。
【００１１】
また請求項３記載の発明によれば、中継トラフ体に紙幣が供給されるにあたっては、紙幣受取駆動機構により中継トラフ体の前方への紙幣の送り込みがされ、且つこれを行う上下一対の受取ローラは、双方が駆動されることにより確実な紙幣の移送を行い、且つ上方の受け取りローラは、上方に移動自在となっているから紙幣の厚みに応じた適切なローラ間寸法を自動的に調整して円滑な移送を行うことができる。
【００１２】
また請求項４記載の発明によれば、更にコイン導入機構が設けられており、紙幣と共にコインの払い出しも行うことができる。
【図面の簡単な説明】
【００１３】
【図１】本発明の現金払出装置を示す透視斜視図であり、併せて使用状態を示すものである。
【図２】同上装置の分解斜視図である。
【図３】同上側面図である。
【図４】同上正面図である。
【図５】同上作業状態を骨格的に示す側面図である。
【図６】同上装置における紙幣受取駆動機構を示す背面図である。
【図７】同側面図である。
【図８】同上平面図である。
【発明を実施するための形態】
【００１４】
本発明を実施するための形態は、以下述べる実施例をその一つとするものであるとともに、この技術思想に基づく種々の改良した実施例をも含むものである。
【実施例１】
【００１５】
以下、本発明を図示の実施例に基づいて具体的に説明する。
符号Ｄは、本発明たる現金払出装置であって、このものは、一例としてパチンコホール等の遊戯施設に近くにおいて営業されることが多い景品買取所Ｅ内に設置される。この景品買取所Ｅは、図１に示すように一例として正面にカウンタＥ１を具え、その奥部に景品受付窓口Ｅ２を設け、更にカウンタＥ１が一部凹陥した状態とした現金払出口Ｅ３が設けられる。
従って景品買取所Ｅは、利用者が遊戯施設で受け取った景品を、景品受付窓口Ｅ２で担当者が確認し、これに応じた買取金額を適宜指令入力し、現金払出装置Ｄから払い出すものである。
【００１６】
以下現金払出装置Ｄについて具体的に説明する。
この現金払出装置Ｄは、大別すると適宜のフレーム１と、その内部に設けられる払出トレー体２と、この払出トレー体２の移動に連動し、紙幣Ｎを利用者の手許に供給する中継トラフ体３と、この中継トラフ体３に設けられ、紙幣Ｎを受け取るための紙幣受取駆動機構４と、払出トレー体２と中継トラフ体３との進退駆動を行う駆動装置５と、更にフレーム１と中継トラフ体３との間に設けられるコイン導入機構６とを具えて成る。なお、この現金払出装置Ｄはあくまで、計数された現金を払い出すものであり、この装置の後背部にブロック図に示した紙幣計数供給装置７とコイン計数供給装置８とを併設している。なお現金払出装置Ｄの前方とは、利用者の手元側となる側であり、利用者からみて奥方を後方とする。
【００１７】
まず符号１は、筐体状のフレームであって、一例として適宜の必要な強度を発揮する金属板等を用いて構成する。具体的には、正面板１１とその側方に９０度曲がって連接される側面部１２と、奥部の背面部１３とを具えて成る。そして、前記正面板１１には、前面開口部１１Ａが設けられ、ここから内部機構の一部が張り出し自在となるように構成されている。
更にフレーム１は、適宜サブフレーム１４を具えて必要な部材の支持を行い、また払出トレー体２を水平に移動自在にするためにスライドレール１５を具える。更にフレーム１内には、上面が下窪み円弧状のトラフ案内スロープ１６が左右一対側面部に寄りに設けられている。
【００１８】
次にフレーム１に支持される払出トレー体２について説明する。
このものは、いわば抽き出し状の形態を有するものであり、前板２０と側板２１と底板２２とが組み合わされた、上面開放型の箱状である。そして、払出トレー体２はフレーム１に対し、その前面開口部１１Ａから前方に向かって水平方向に移動できるようにするため、前記スライドレール１５と係合するスライドロッド２３を側板２１に左右一対具える。なお実質的にスライドレール１５とスライドロッド２３とは、リニアガイドユニット適用して成るものである。
一方底板２２に対しては、その左右両下面に底面ラックギヤ２４を設け、ここに後述する駆動装置５からラックピニオン機構により駆動が伝達される。また前記側板２１には、ジョイントピン受孔２５が設けられ、この部位においてジョイントピンＰによって前記中継トラフ体３の前方寄りの部位と、回動自在になるように接続される。
【００１９】
次に中継トラフ体３について説明する。
このものは、その前方寄りの位置において前記払出トレー体２と回動自在に接続される。まず中継トラフ体３は、底部枠板３１を底部に具えるものであり、底部枠板３１は、基板部３１ａと深底部３１ｂと前部立上り部３１ｃと前部上面部３１ｄとが連続して曲成されて構成されている。そして底部枠板３１に対し、上面板３２が被せられるように設けられるものであって、このものは、その一部が開口することにより底部枠板３１との間に紙幣導入部３３とコイン導入部３４とを構成する。この紙幣導入部３３における上面板３２と底部枠板３１との間は、側部壁板３２ａにより塞がれた形態を採る。またコイン導入部３４については、一例として円弧状の凹陥した形状に構成されている。
更に、中継トラフ体３の前方寄りの左右には、ジョイントピンブラケット３５が形成されるものであり、ピン孔３５ａは、前記払出トレー体２におけるジョイントピン受孔２５と同心上に形成されている。そしてピン孔３５ａとジョイントピン受孔２５とは、ジョイントピンＰにより回動自在に接続される。この機構によって中継トラフ体３は、回動接続部たるジョイントピンＰを中心に中継トラフ体３の奥部自由端側が上昇できるような状態となっている。
更にこのような状態を出現させるための部材として、前記中継トラフ体３の後方には案内コロ３６が取り付けられる。そしてこの案内コロ３６は、フレーム１における案内体たるトラフ案内スロープ１６の上面を転動することにより、払出トレー体２と共に中継トラフ体３が奥部に退去するにしたがい、中継トラフ体３の奥部自由端を上昇させ、結果的に中継トラフ体３を前下がり状態に案内するものである。なお符号３７は、中継トラフ体３に設けられる紙幣受取駆動機構４の受取駆動モータＭ１等へ給電するための給電ケーブルであり、その可動状態を確実にするためケーブルプロテクタに収められている。
【００２０】
次に中継トラフ体３に組み込まれている紙幣受取駆動機構４について説明する。
このものは、中継トラフ体３の上面板３２等を利用して取り付けられた受取駆動部ブラケット４１に対し、その後端部（奥部自由端側）に設けられているものである。またこの受取駆動部ブラケット４１は、これと一体に上押さえ杆４２を紙幣導入部３３側に伸びるように左右一対延長形成している。この紙幣受取駆動機構４における主要部材は、受取ローラ４３であって、このものは、固定受取ローラ４３Ａと、調整受取ローラ４３Ｂとが上下に一対形成されている。それぞれの受取ローラ４３は、共通する構成を有するものであり、ローラ軸４３０が軸受スリーブ４３１を介して、受取駆動部ブラケット４１における固定軸受孔４１Ａ、調整軸受孔４１Ｂに嵌りこんでいる。この調整受取ローラ４３Ｂは、調整軸受孔４１Ｂに嵌り込んでいるものの、そのローラ軸４３０自体は、揺動アーム板４３６の自由端側に支持されている。この揺動アーム板４３６の回動支点は、後述する中継伝導ギヤのうちの二次伝導ギヤ４４Ｂのギヤ軸と同心である。このローラ軸４３０に固定されたローラ体４３３は、その周囲にＯリング４３４を具えて、紙幣Ｎをスリップすることなく円滑に喰え込むように構成されている。
そして、固定受取ローラ４３Ａにあっては、ローラ軸４３０の端部にカップリング４３２を介して受取駆動モータＭ１を接続させる。この受取駆動モータＭ１は、受取駆動部ブラケット４１に設けられたモータサポート４１Ｃにより支持される。
【００２１】
そして固定受取ローラ４３Ａと、調整受取ローラ４３Ｂとは、共に駆動されるものであり、それぞれが固定ドライブギヤ４３５Ａと可動ドリブンギヤ４３５Ｂとを具える。そしてこれら固定受取ローラ４３Ａと調整受取ローラ４３Ｂとは、紙幣Ｎを受け取る際に両者の間隔をその紙幣束の厚さに合わせて調整しなくてはならないが、このため調整受取ローラ４３Ｂは、軸受スリーブ４３１を受け入れる調整軸受孔４１Ｂが長円弧状に形成されていることにより、その間をほぼ上下に移動できるように構成されている。
【００２２】
このように固定受取ローラ４３Ａと調整受取ローラ４３Ｂとが常時一定間隔に設定されていないため、両者を駆動するにあたっては直接ギヤ駆動を適用することができず、従ってこのため中継伝導ギヤ４４を設ける。
この中継伝導ギヤ４４は、一次伝導ギヤ４４Ａと二次伝導ギヤ４４Ｂとを具えたものであり、それらは、ほぼ同一形状を有する。即ちギヤ軸４４０に対し、ギヤ軸スリーブ４４１を左右両端に具え、このものは、受取駆動部ブラケット４１における伝導ギヤ用軸受孔４１Ｄに支持されている。そして、一次伝導ギヤ４４Ａには、それぞれその両端に一次伝導ギヤホイール４４２Ａを左右一対具え、また二次伝導ギヤ４４Ｂには、二次伝導ギヤホイール４４２Ｂを具える。
【００２３】
このような４基の伝導ギヤによる駆動は、まず受取ローラ４３の固定受取ローラ４３Ａが受取駆動モータＭ１により駆動されることにより、固定ドライブギヤ４３５Ａの回転が一次伝導ギヤ４４Ａにおける一次伝導ギヤホイール４４２Ａに伝達される。この回転が二次伝導ギヤ４４Ｂの二次伝導ギヤホイール４４２Ｂに伝達されて、そこから更に受取ローラ４３における可動ドリブンギヤ４３５Ｂに伝達され、結果的に固定受取ローラ４３Ａと調整受取ローラ４３Ｂとは、回転方向が逆であって喰え込み方向としては同方向となるように回転する。
【００２４】
次に、払出トレー体２及び中継トラフ体３の進退駆動を行う駆動装置５について説明する。
符号Ｍ２に示すものが、トレー進退用モータであり、前記フレーム１の下方に設けられる。そして、トレー進退用モータＭ２は、トレー進退用出力プーリ５０を具えるものであり、そこからトレー進退用受動プーリ５１にベルト５１Ａを介して回転を伝達する。
このトレー進退用受動プーリ５１は、シャフト５１Ｂに固定されているものであり、シャフト５１Ｂの左右両端は、フレーム１に対して回動自在に支持されている。
そして、シャフト５１Ｂの左右両端には、ピニオンギヤ５２を具えるものであり、このピニオンギヤ５２が払出トレー体２における底面ラックギヤ２４に下方から噛み合った状態となっている。この結果、ピニオンギヤ５２が駆動されることにより、払出トレー体２が前後に移動するように構成されている。
【００２５】
更に本装置は、フレーム１と中継トラフ体３との間にコイン導入機構６を具えている。
まずフレーム１に対し、下窄まり状で下方が前方に張り出した集合トラフ６１を設ける。この集合トラフ６１の下端には、垂直案内トラフ６２がその上端においてが接続される。即ち垂直案内トラフ６２は、ほぼ角筒状をした部材であって、フレーム１のサブフレーム１４に対し、ヒンジ６３を介して幾分か揺動自在に取り付けられている。
この垂直案内トラフ６２の下端は、中継トラフ体３が待機姿勢において、コインＣをコイン導入部３４に供給するため、内側が上方に傾斜したような切り離し状態となっている。またその下端前方側には、はね出し防止板６４が延長形成されている。
【００２６】
また垂直案内トラフ６２の奥部側中間部位には、セット用ブラケット６５が後方に延長され、その先端側にセット用ローラ６６が取り付けられている。このセット用ローラ６６は、中継トラフ体３の待機状態において、その後端部に当接するものであり、この後端部によってヒンジ６３を中心に図３に示すように反時計方向に回動する傾向が与えられ結果的に垂直案内トラフ６２の下端が中継トラフ体３におけるコイン導入部３４に密着する状態を現出させている。
【００２７】
以上述べた装置が現金払出装置Ｄの構成であるが、この装置は先に述べたように別途計数された現金を利用者の手許に払い出す装置であって、この後背部には、詳細な図示等は省略するが、紙幣計数供給装置７、コイン計数供給装置８が具えられている。
【００２８】
本発明は以上述べたような構成を有するものであり、以下述べるように作動し現金の払い出しを行うものである。
＜１．始発状態＞
始発状態は、払出トレー体２が奥部に退去し、これに伴い中継トラフ体３も奥部に退去し、後部自由端側が上方に持ち上げられ前下がり状態となったものとする（図５（ａ）右を参照）。
この状態で中継トラフ体３に対して、紙幣ＮまたはコインＣが供給される。
【００２９】
＜２．紙幣の供給＞
なお供給される現金の額は、利用者が例えば景品買取所Ｅに赴き、景品を景品受付窓口Ｅ２に差し出し、その買取価格を合意した後、その金額が払い出されるものである。紙幣計数供給装置７からは、例えば紙幣Ｎが何枚か重ねられた状態で供給される。この紙幣Ｎの供給端は、中継トラフ体３における紙幣受取駆動機構４によって更に中継トラフ体３内に引き込まれる。即ち、まず紙幣Ｎを受け取るにあたっては、受取駆動モータＭ１が起動し、この回転が固定受取ローラ４３Ａにおけるローラ軸４３０を回転駆動する。そしてこの回転が順次中継伝導ギヤ４４における一次伝導ギヤ４４Ａから二次伝導ギヤ４４Ｂに伝達され、更に再び対向する調整受取ローラ４３Ｂの可動ドリブンギヤ４３５Ｂに伝達される。結果的にその回転は、固定受取ローラ４３Ａと、調整受取ローラ４３Ｂとが紙幣Ｎを喰え込んで前方に送り出す方向となっている。厳密に回転方向でみれば、回転方向は逆方向になっている。
【００３０】
このとき、固定受取ローラ４３Ａと調整受取ローラ４３Ｂとは、調整軸受孔４１Ｂが長孔となっていることにより、適宜その厚さに応じて調整受取ローラ４３Ｂは上方に移動し、重ね合わされた紙幣Ｎの厚さに応じた間隔を自動的に調整する。更にこのとき、調整受取ローラ４３Ｂは、揺動アーム板４３６の先端に軸支されるとともに、前方の二次伝導ギヤ４４Ｂからは、可動ドリブンギヤ４３５Ｂに対し、噛合位置において、駆動方式が下方から上方に向って動力伝達がされていることによりその駆動反力は、調整受取ローラ４３Ｂのローラ軸４３０を下方に押すような状態となっている。この結果、固定受取ローラ４３Ａと調整受取ローラ４３Ｂとは、互いに積極的に紙幣Ｎを喰え込む作用を伴いながら送り出している。
【００３１】
このように紙幣Ｎが受取ローラ４３によって前方に送り出されてくると、当然この紙幣Ｎは、自重によってその先端が前下がり状態になるような傾向を呈する。
このとき、中継トラフ体３は、前下がり状態に全体が傾斜しているから、紙幣Ｎは極めて自然に前下がり状態の紙幣導入部３３に向う。そして紙幣Ｎの長手方向が全て受取ローラ４３を通過するとその先端が紙幣導入部３３に落とし込まれるような状態となる。
なおこのとき、紙幣受取駆動機構４における受取駆動部ブラケット４１と一体に構成されている上押さえ杆４２が、紙幣Ｎの前方先端側を押さえるようにして、円滑に紙幣導入部３３への落とし込みを補助している。
【００３２】
＜３．コインＣの供給＞
更にコインＣを払い出す必要があるときには、コイン導入機構６が必要な額を供給する。この場合もコイン計数供給装置８で予め計数されたコインＣが集合トラフ６１内に供給され、シュート状の集合トラフ６１の下端集合部から垂直案内トラフ６２内を通り、その下端から接続している中継トラフ体３におけるコイン導入部３４に落とし込まれる。
コイン導入部３４自体は、常時は上方が開口しているが、コイン導入機構６におけるはね出し防止板６４がコイン導入時点においてコイン導入部３４の上面を塞ぐように作用し、コインＣはコイン導入部３４に確実に落とし込まれる。
【００３３】
＜４．手許への払い出し＞
このような状態で、利用者の手許へ現金である紙幣ＮとコインＣとの払い出しがなされる。即ち待機状態では、前記払出トレー体２の前板２０がフレーム１の前面開口部１１Ａを塞ぐような状態となっており、装置内部は目視し得ない状態となっている。この状態から駆動装置５におけるトレー進退用モータＭ２が駆動されることによって、トレー進退用受動プーリ５１が駆動され、トレー進退用受動プーリ５１のシャフト５１Ｂの左右に設けられたピニオンギヤ５２が払出トレー体２の底面ラックギヤ２４を駆動し、払出トレー体２が前方に移動させる。
これに伴い中継トラフ体３も、ジョイントピンＰにおいて回動自在に払出トレー体２と接続されていることより、これに引きずられる形で前方に移動する。この際、中継トラフ体３は、奥部自由端側における案内コロ３６が、フレーム１におけるトラフ案内スロープ１６の頂部からその傾斜面に従い移動するような形態となり、結果的に中継トラフ体３は、その傾斜状態を徐々に水平方向に角度を緩めながら前進する。最終的には、中継トラフ体３は、払出トレー体２内に収まるような形で最前端に至る。
この状態は、前記景品買取所ＥにおけるカウンタＥ１に設けられた現金払出口Ｅ３に対し、払出トレー体２と中継トラフ体３とが臨む状態となり、紙幣導入部３３とコイン導入部３４に払い出されていた現金を利用者が受け取る。
【００３４】
＜５．退去＞
この受け取りが適宜センサ等により確認されると、作動プログラムに従い駆動装置５におけるトレー進退用モータＭ２が逆回転し、払出トレー体２を奥方に退去させるように移動させる。当然これに伴い中継トラフ体３は、ジョイントピンＰを介して駆動されるような形態となり、更にその案内コロ３６は、再びフレーム１におけるトラフ案内スロープ１６の湾曲傾斜面に従い上方に持ち上げられる状態となって待機状態となる。
因みに中継トラフ体３を、前下がり（後ろ上がり）状態にするには、このような案内コロ３６と、トラフ案内スロープ１６の関係のみならず、例えば図５（ｂ）（ｃ）に示すようなリンクを適用したガイド手段１６Ｇによっても同様の目的を達成することができる。
【符号の説明】
【００３５】
Ｄ        現金払出装置
Ｐ        ジョイントピン
Ｃ        コイン
Ｎ        紙幣
Ｍ１      受取駆動モータ
Ｍ２      トレー進退用モータ
Ｅ        景品買取所
Ｅ１      カウンタ
Ｅ２      景品受付窓口
Ｅ３      現金払出口
１        フレーム
２        払出トレー体
３        中継トラフ体
４        紙幣受取駆動機構
５        駆動装置
６        コイン導入機構
７        紙幣計数供給装置
８        コイン計数供給装置
１        フレーム
１１      正面板
１１Ａ    前面開口部
１２      側面部
１３      背面部
１４      サブフレーム
１５      スライドレール
１６      トラフ案内スロープ
１６Ｇ    ガイド手段
２        払出トレー体
２０      前板
２１      側板
２２      底板
２３      スライドロッド
２４      底面ラックギヤ
２５      ジョイントピン受孔
３        中継トラフ体
３１      底部枠板
３１ａ    基板部
３１ｂ    深底部
３１ｃ    前部立上り部
３１ｄ    前部上面部
３２      上面板
３２ａ    側部壁板
３３      紙幣導入部
３４      コイン導入部
３５      ジョイントピンブラケット
３５ａ    ピン孔
３６      案内コロ
３７      給電ケーブル
４        紙幣受取駆動機構
４１      受取駆動部ブラケット
４１Ａ    固定軸受孔
４１Ｂ    調整軸受孔
４１Ｃ    モータサポート
４１Ｄ    伝導ギヤ用軸受孔
４２      上押さえ杆
４３      受取ローラ
４３Ａ    固定受取ローラ
４３Ｂ    調整受取ローラ
４３０    ローラ軸
４３１    軸受スリーブ
４３２    カップリング
４３３    ローラ体
４３４    Ｏリング
４３５Ａ  固定ドライブギヤ
４３５Ｂ  可動ドリブンギヤ
４３６    揺動アーム板
４４      中継伝導ギヤ
４４Ａ    一次伝導ギヤ
４４Ｂ    二次伝導ギヤ
４４０    ギヤ軸
４４１    ギヤ軸スリーブ
４４２Ａ  一次伝導ギヤホイール
４４２Ｂ  二次伝導ギヤホイール
５        駆動装置
５０      トレー進退用出力プーリ
５１      トレー進退用受動プーリ
５１Ａ    ベルト
５１Ｂ    シャフト
５２      ピニオンギヤ
６        コイン導入機構
６１      集合トラフ
６２      垂直案内トラフ
６３      ヒンジ
６４      はね出し防止板
６５      セット用ブラケット
６６      セット用ローラ
７        紙幣計数供給装置
８        コイン計数供給装置
【要約】
【課題】  本発明は、重力作用を巧みに利用し、計数後の紙幣を円滑且つ確実に移送させるようにした、新規な現金払出装置に係るものである。
【解決手段】  本発明の現金払出装置Ｄは、適宜の指令入力に応じ、払い出すべき紙幣Ｎを別途揃え、これを利用者の手許位置に払い出す装置であって、この装置は、払出トレー体２と、この払出トレー体２に一部で回動自在に接続される中継トラフ３とを具え、中継トラフ体３は、奥端部から紙幣Ｎの供給を受け、前下がり状態の中継トラフ体３の姿勢により、紙幣Ｎは供給が進められるに従い、前下がり状に姿勢変化をし、中継トラフ体３への円滑な移載がされ、一方中継トラフ体３は待機姿勢からは、払出トレー２の前進に応動して、払出トレー２内に収まるように水平状態に姿勢変化させ、中継トラフ体内３の紙幣Ｎを利用者の手許近くに用意するようにしたことを特徴として成るものである。
【選択図】図１【図１】
0004823378.tif 000002
【図２】
0004823378.tif 000003
【図３】
0004823378.tif 000004
【図４】
0004823378.tif 000005
【図５】
0004823378.tif 000006
【図６】
0004823378.tif 000007
【図７】
0004823378.tif 000008
【図８】
0004823378.tif 000009